(57)【要約】【課題】インモールドラベリング方式の射出成形で作製されるカップ状容器であって、容器としての各種性能に優れると共に、特に意匠性、高級感に優れたインモールドラベル容器を提供する。【解決手段】インモールドラベル容器１００  を、例えば、上部外周にフランジ部１２を有し、下部に脚部１３を有する周壁１１と、脚部１３の上に設けられた底部１４とで形成すると共に、該容器の周壁１１の外周面に、少なくとも透明な基材フィルムの裏面に通常の色インキによる文字、絵柄等の印刷層と組み合わせて、二色性効果を持つ虹彩色顔料を含有するインキによる偏光印刷層を設け、更にその上に熱接着性樹脂層を積層してなるラベル１６をインモールド射出成形により一体化成形して構成する。【選択図】        図２
2005007653.tif 000002
【特許請求の範囲】
【請求項１】
インモールドラベリング方式の射出成形で作製されるカップ状容器であって、該カップ状容器の周壁の外周面に、少なくとも透明な基材フィルムの裏面に通常の色インキによる文字、絵柄等の印刷層と、二色性効果を持つ虹彩色顔料を含有するインキによる偏光印刷層とが設けられ、更にその上に熱接着性樹脂層が設けられてなる積層シートで作製されたラベルがインモールド成形されていることを特徴とするインモールドラベル容器。
【請求項２】
前記虹彩色顔料が、二酸化チタンまたは酸化鉄被覆雲母であることを特徴とする請求項１記載のインモールドラベル容器。
【請求項３】
前記ラベルの積層シートに、更にガスバリヤー層が設けられていることを特徴とする請求項１または２に記載のインモールドラベル容器。
【発明の詳細な説明】
【０００１】
【発明の属する技術分野】
本発明は、インモールドラベル容器に関し、更に詳しくは、インモールドラベリング方式の射出成形で作製されるカップ状容器であって、容器としての性能に優れると共に、特に意匠性に優れたインモールドラベル容器に関する。
【０００２】
【従来の技術】
従来、各種飲料やデザート食品などを密封包装するカップ状容器としては、容器の保形性がよく強度に優れることからプラスチックの射出成形によるカップ状容器が多く用いられるようになっている。
このようなカップ状容器には、内容物に関する表示事項や絵柄などの印刷を施す必要があり、通常は容器周壁の外周面に、（１）カップ状容器の寸法や形状に対応して専用の印刷機を作製して直接印刷する方法、或いは、（２）印刷したラベルをラベリング装置を用いて貼着する方法などが採られていた。
しかし、（１）の直接印刷する方法では、印刷デザインがイラスト調など比較的簡単で色数も少ない場合は問題はないが、写真調などの多色のカラー印刷の場合は、印刷の見当精度が不足し、美しい印刷物を得られない問題があった。
また、（２）の印刷したラベルを貼着する方法では、印刷上の問題はないが、特に容器がテーパー付きのカップ状容器の場合など、貼り位置のズレを生じ易く、また、貼着されたラベルと容器の一体感が乏しく、高級感に欠ける問題があった。
【０００３】
このような問題を解決する方法として、印刷したラベルを射出成形の金型内に挿入して樹脂を射出し、容器周壁の外周面に印刷ラベルを一体化させて成形を行うインモールドラベル成形法が行われるようになっている。
このような成形法で作製されるインモールドラベル容器では、印刷などの装飾加工をフラットなラベルの基材フィルムに行えるため、多色のカラー印刷なども見当精度よく印刷することができ、且つ、そのラベルをカップ状容器などの周壁の外周面に一体化して成形できるので、意匠性に優れると共に、ラベルを接着剤などで貼着した容器と比較して、一層高級感に優れたカップ状容器を製造することができる。
更に、このようなインモールドラベル容器では、充填される内容物によっては、その保存性を向上させるため、ガスバリヤー性や紫外線遮断性を付与することも行われており、例えば、ラベルの積層シートの中間層などにガスバリヤー層や紫外線遮断層を付加し、そのラベルを容器周壁の外周面、または容器周壁の外周面と容器底面の内面もしくは外面に一体化成形して、意匠性と共にガスバリヤー性、紫外線遮断性を向上させたインモールドラベル容器がある（例えば、特許文献１参照）。
【０００４】
【特許文献１】
特開平１１−１０５０６７号公報（第２〜５頁、図１）
【０００５】
【発明が解決しようとする課題】
しかしながら、前記のようなインモールドラベル容器でも、その意匠性に関しては、例えば、ラベルにカラー写真調の絵柄などを見当精度よく印刷して美麗に仕上げたものであり、絵柄や色の種類などに変化を付けて、意匠性を向上させることはできても、それだけではマンネリ化しやすく、容器のデザインとして新鮮みや面白さに欠ける問題があった。
【０００６】
本発明は、このような問題点を解決するためになされたものであり、その目的とするところは、インモールドラベリング方式の射出成形で作製されるカップ状容器に関して、容器としての強度、耐熱性、ガスバリヤー性などの性能に優れると共に、意匠性の面でも、その印刷デザインに、美麗さと共に新鮮みや面白さを付加することができ、性能と共に特に意匠性に一層優れたインモールドラベル容器を生産性よく提供することにある。
【０００７】
【課題を解決するための手段】
上記の課題は、以下の本発明により解決することができる。
即ち、請求項１に記載した発明は、インモールドラベリング方式の射出成形で作製されるカップ状容器であって、該カップ状容器の周壁の外周面に、少なくとも透明な基材フィルムの裏面に通常の色インキによる文字、絵柄等の印刷層と、二色性効果を持つ虹彩色顔料を含有するインキによる偏光印刷層とが設けられ、更にその上に熱接着性樹脂層が設けられてなる積層シートで作製されたラベルがインモールド成形されていることを特徴とするインモールドラベル容器からなる。
【０００８】
本発明において、前記ラベルの文字、絵柄等の印刷層と組み合わせて設けられる偏光印刷層のインキに含有させる二色性効果を持つ虹彩色顔料について説明する。
前記虹彩色顔料は、真珠光沢顔料に属するものであり、真珠光沢顔料自体は、一般に粒子の形が薄片状であり、これが層状に配列したとき光の多重反射により優雅な真珠光沢を発現するものである。
このような真珠光沢顔料としては、天然パールエッセンス〔グアニン、ヒポキサンチン〕、塩基性炭酸鉛〔３ＰｂＣＯ３・２Ｐｂ（ＯＨ）２〕、オキシ塩化ビスマス〔ＢｉＯＣｌ  〕、二酸化チタン被覆雲母〔ＴｉＯ２／  Ｋ２Ｏ・３Ａｌ２Ｏ３・６ＳｉＯ２  ・２Ｈ２Ｏ〕、酸化鉄被覆雲母〔  Ｆｅ２Ｏ３／  Ｋ２Ｏ・３Ａｌ２Ｏ３・６ＳｉＯ２  ・２Ｈ２Ｏ〕などがあり、化粧品、模造真珠、プラスチック、印刷インキ、塗料などの分野で使用されている。只、天然パールエッセンスは高価なため、印刷インキでは無機顔料、なかでも二酸化チタン被覆雲母、酸化鉄被覆雲母が多く使用されている。
【０００９】
このような真珠光沢顔料は、顔料の薄片の厚さを調節することにより、干渉色で着色した虹彩色顔料が得られ、二酸化チタン被覆雲母、酸化鉄被覆雲母では、雲母に被覆する二酸化チタンや酸化鉄の膜厚を調節することにより、干渉色で着色した虹彩色顔料を得ることができる。
例えば、二酸化チタンを被覆する場合、その膜厚を６０ｎｍから１６０ｎｍの範囲で段階的に厚くすることにより、反射光の色を、黄、橙黄、赤、青、緑の順で虹彩色の特定の色を強調させた虹彩色顔料とすることができる。
【００１０】
また、このような虹彩色顔料は、入射光の一部を反射し、一部を透過させるとき、前記反射光の色に対して、透過光の色はその補色となる二色性効果を有している。従って、虹彩色顔料を含有させたインキを印刷デザインに使用する際には、背景の反射性を考慮することが必要となる。
例えば、背景が全反射性に近い白色の場合は、透過光の補色が、背景によって再び元に反射されて、元来の反射光の色に加わり、色効果を低減させる。一方、背景が黒色の場合は、透過光の補色は、背景の黒色に吸収されるため、元来の反射光の色のみを見ることができる。
従って、背景に使用する色を変えることにより、真珠光沢のほかに、虹彩色による視覚効果を変えることができ、デザインに新鮮みや面白さを付加することができる。
例えば、飲料用インモールドラベル容器で、内容物がコーヒー飲料など黒色に近い場合には、通常の色インキによる文字、絵柄等の印刷部以外の虹彩色顔料を含有するインキによる偏光印刷層の部分では、内容物の有無により見え方が変わるという視覚効果が得られる。
【００１１】
また、本発明のインモールドラベル容器は、上部の外周にフランジ部を有し、胴部にテーパーを有するカップ状容器であることが、製造上および内容物の充填適性の点で好ましいが、胴部の形状は、横断面が円形の丸形カップ状容器のほか、横断面が四角形状、その他多角形状の角形カップ状容器に成形することもできる。
【００１２】
本発明のインモールドラベル容器に用いる射出成形の樹脂は、射出成形が可能な樹脂であれば特に限定はされず、例えば、ポリプロピレン系樹脂、ポリエチレン系樹脂、ポリスチレン系樹脂、ポリエステル系樹脂などを好適に使用することができ、これらの中から容器に充填される内容物や、充填、密封後の加熱処理の有無など使用条件に応じて適するものを適宜選択して使用することができる。
例えば、ホット充填や、充填、密封後のレトルト処理、或いは、ホットウォーマー加熱などの耐熱性を必要とする場合は、ポリプロピレン系樹脂が適しており、内容物が牛乳、特別牛乳、殺菌山羊乳、部分脱脂乳、脱脂乳、加工乳、クリームの場合は、ポリエチレン、エチレン・１−アルケン共重合樹脂を使用し、デザート食品の場合は、ポリプロピレン系樹脂、ポリエチレン系樹脂のほかポリスチレン系樹脂も使用可能で、フレーバーなどの非吸着性を必要とする場合はポリエステル系樹脂を好適に使用することができる。
【００１３】
本発明のインモールドラベル容器は、前記のような構成を採ることにより、以下のような作用効果を得ることができる。
即ち、容器本体がプラスチックの射出成形によりカップ状に形成されるので、保形性がよく、強度などの性能に優れている。
そして、カップ状容器の周壁の外周面には、少なくとも透明な基材フィルムの裏面に通常の色インキによる文字、絵柄等の印刷層と、二色性効果を持つ虹彩色顔料を含有するインキによる偏光印刷層とが設けられ、更にその上に熱接着性樹脂層が設けられてなる積層シートで作製されたラベルがインモールド成形されているので、ラベルと容器が一体感に優れ、且つ、ラベルは、その熱接着性樹脂層により強固に容器周壁の外周面に熱接着され、剥がれる心配がなく外観にも優れている。
また、ラベルには、その透明な基材フィルムの裏面に通常の色インキによる文字、絵柄等の印刷層に組み合わせて、二色性効果を持つ虹彩色顔料を含有するインキによる偏光印刷層が設けられているので、偏光印刷層の背景の色を適宜選択して設けることにより視覚効果が変わり、デザインに新鮮みや面白さを付加することができ、インモールドラベル容器の意匠性を向上させることができる。
【００１４】
請求項２に記載した発明は、前記虹彩色顔料が、二酸化チタンまたは酸化鉄被覆雲母であることを特徴とする請求項１記載のインモールドラベル容器からなる。
【００１５】
このような構成を採ることにより、請求項１に記載した発明の作用効果に加えて、二酸化チタンまたは酸化鉄被覆雲母は、比較的低コストで製造できると共に、特に二酸化チタン被覆雲母は、前述したように、二酸化チタンの膜厚を、例えば６０ｎｍ〜１６０ｎｍの範囲で調節することにより、反射光の色を、黄、橙黄、赤、青、緑のように特定の色を強調させた虹彩色顔料とすることができ、色彩が豊富でデザインを一層多様化することができる。
【００１６】
請求項３に記載した発明は、前記ラベルの積層シートに、更にガスバリヤー層が設けられていることを特徴とする請求項１または２に記載のインモールドラベル容器からなる。
【００１７】
上記ガスバリヤー層は、容器に充填される内容物の保存性を向上させるために設けるものであり、その材質により透明性を有するものと、不透明なものとがあり、所望により適宜選択して使用することができる。
透明性を有するガスバリヤー層としては、エチレン−ビニルアルコール共重合体、ＭＸＤ６（ポリメタキシリレンアジパミド）などのガスバリヤー性樹脂を製膜したフィルムや、ポリ塩化ビニリデンの塗布液を透明な基材フィルムに塗布して塗膜層を形成したポリ塩化ビニリデンコートフィルム、そして、アルミナ、シリカ、酸化亜鉛、酸化マグネシウム、ＩＴＯなどの無機酸化物を透明な基材フィルムに蒸着した無機酸化物の蒸着フィルムなどを使用することができる。
不透明なガスバリヤー層としては、アルミニウムなどの金属箔や、アルミニウムなどの金属を基材フィルムに蒸着した金属蒸着フィルムを使用することができる。
【００１８】
このようなガスバリヤー層は、通常、ラベルの積層シートの中間層に積層するが、特に前記不透明なガスバリヤー層を用いる場合は、ガスバリヤー性に加えて遮光性も付与できるので、内容物の保存性に対しては一層好ましいが、ラベルのデザインを隠すことがないように、通常の色インキによる文字、絵柄等の印刷層および前記虹彩色顔料を含有するインキによる偏光印刷層の下側で最内層の熱接着性樹脂層との間に積層する必要がある。更に前記不透明なガスバリヤー層が光反射性を有する場合は、その外側の面に黒色インキ層などによる光吸収層を設けて偏光印刷層の発色効果を向上させることもできる。
【００１９】
前記のような構成を採ることにより、請求項１または２に記載した発明の作用効果に加えて、カップ状容器の外面のうち、面積の大きい周壁の外周面にインモールド成形されるラベルにガスバリヤー性が付与されるので、生産上からも効率よく容器のガスバリヤー性を向上させることができ、容器に充填される内容物の保存性を高めることができる。
また、容器のガスバリヤー性を更に向上させるためには、容器周壁の外周面だけではなく、容器の底面にもガスバリヤー層を設けた底面用ラベルを別に用意してインモールド成形することができ、それにより一層ガスバリヤー性を向上させることができる。
【００２０】
【発明の実施の形態】
以下に、本発明のインモールドラベル容器の実施の形態について図面を用いて説明する。
図１は、本発明のインモールドラベル容器に用いるラベルの一例の構成を示す模式断面図であり、また、ラベルの偏光印刷層に入射する入射光の反射および透過（吸収）状態を説明する図である。
図２は、本発明のインモールドラベル容器の一実施例の構成を示す縦断面図である。
図３は、本発明のインモールドラベル容器の周壁外周面にインモールド成形するラベルの形状の一例を説明する展開図である。
図４は、図２に示したインモールドラベル容器の背面図であって、容器の周壁外周面に一体的に成形されたラベルの両側端部間に形成された隙間部を説明する図である。
尚、本発明は、その要旨を超えない限り、これらの図面に限定されるものではない。
【００２１】
図１に示したラベル１６は、外側（図において上側）に透明な基材フィルム１を用い、その裏面（図において下側の面）に通常の色インキによる文字、絵柄等の印刷層２を設け、その背面に印刷層２を覆うように、二色性効果を持つ虹彩色顔料３ａ  を含有するインキによる偏光印刷層３を設け、更にその背面（最内層）に熱接着性樹脂層４を積層して構成したものである。
尚、前記印刷層２の背面には、そのパターンに合わせて白インキ層を設けることができ、それにより隠蔽性が増し印刷層２の文字、絵柄等を鮮明に見せることができる。また、前記偏光印刷層３の背面のうち、少なくとも前記印刷層２の背面を除く部分には、黒インキ層など透過光を吸収する層を設けることができ、それにより偏光印刷層３に含有される虹彩色顔料３ａ  を透過した透過光の補色を吸収することができるので、真珠光沢と共に虹彩色顔料３ａ  の反射光による特有の色を見ることができ、印刷デザインに新鮮みと面白さを付加することができる。
【００２２】
上記ラベル１６の構成において、最外層の透明な基材フィルム１は、透明で強度、耐熱性などを備えたフィルムであれば特に限定はされず、例えば二軸延伸ポリプロピレンフィルム（以下、ＯＰＰフィルムと記載することがある）、二軸延伸ポリエチレンテレフタレートフィルム（以下、ＯＰＥＴフィルムと記載することがある）、二軸延伸ナイロンフィルム（以下、ＯＮフィルムと記載することがある）などを使用することができる。
【００２３】
また、最内層の熱接着性樹脂層４は、ラベル１６を容器の外周面にインモールド射出成形する際、容器の射出成形樹脂と良好に熱接着させるために設けたものであり、容器の射出成形樹脂に対応して、それと良好に熱接着する熱接着性樹脂を適宜選択して使用することができる。
容器の射出成形樹脂は、容器に充填される内容物や、内容物の充填、密封後の加熱処理、その他の使用条件に応じて適するものを選定されるが、通常、ポリプロピレン系樹脂、ポリエチレン系樹脂、ポリスチレン系樹脂、ポリエステル系樹脂などが使用されており、それぞれに対応して熱接着可能な樹脂を熱接着性樹脂層４に使用することができる。
只、ラベル自体は、できる限りカールのないことがインモールド成形の生産性や歩留りをよくする点で好ましく、そのためには中間層を中心として、両側に熱収縮性などが近似したフィルム（同様な材質のフィルム）を積層し、両側が対称形に近い層構成となるように形成することが一層好ましい。
【００２４】
このような主旨に合致した構成の例として、前記ラベル１６の構成では、例えば、最外層の透明な基材フィルム１にＯＰＰフィルムを用い、その裏面にグラビア印刷などで、通常の色インキによる文字、絵柄等の印刷層２と、虹彩色顔料３ａ  を含有するインキによる偏光印刷層３とを設け、更にその背面（最内層）に熱接着性樹脂層４として、ヒートシール性を有するＯＰＰフィルム（以下、ＨＳＯＰＰフィルムと記載することがある）をドライラミネーション法などで接着剤（図示せず）を介して貼り合わせて構成することができる。
熱接着性樹脂層４には、前記射出成形樹脂に対応して、ポリプロピレン系樹脂、ポリエチレン系樹脂、ポリスチレン系樹脂、ポリエステル系樹脂などの無延伸フィルムを使用することもできるが、前述したラベルの両側を対称形に近い層構成としてカールを防止するためには、最外層のＯＰＰフィルムに対応して最内層の熱接着性樹脂層４には、ヒートシール性を有するＯＰＰフィルムを使用することが一層好ましい。
【００２５】
前記ヒートシール性を有するＯＰＰフィルムは、本来ＯＰＰフィルムの片面または両面にヒートシール性樹脂層を設けて、ＯＰＰフィルムのヒートシールによる製袋を可能としたものであるが、ヒートシール性樹脂として、ポリプロピレン系樹脂、エチレン・酢酸ビニル共重合体系樹脂、アクリル系樹脂など各種の樹脂を用いたものがあり、これらのヒートシール性樹脂の選択により、射出成形樹脂が、例えばポリプロピレン系樹脂、ポリエチレン系樹脂、ポリスチレン系樹脂、ポリエステル系樹脂のいずれであっても、インモールド成形によりラベルを容器外周面に良好に熱接着させることができるものである。
【００２６】
このようなＨＳＯＰＰフィルムを熱接着性樹脂層４としてラベルの最内層に積層する方法は、例えば、押し出しラミネーション法でも貼り合わせることはできるが、ラベルをインモールド成形する際、射出成形の熱と圧が加わるため耐熱性と接着強度に優れることが好ましく、この点から二液硬化型ポリウレタン系接着剤などの公知のドライラミネート用接着剤を使用できるドライラミネーション法で貼り合わせることがより好ましい。
【００２７】
また、ラベル１６にガスバリヤー性を付与する場合も、図１の構成では前記偏光印刷層３と熱接着性樹脂層４との間に、それぞれ接着剤を介して前述のガスバリヤー性フィルムまたはガスバリヤー層を設けたフィルムをドライラミネーション法で貼り合わせることにより、接着強度や耐熱性の問題もなく、また、カールを生じることもなく、ガスバリヤー性を付与することができる。
【００２８】
また、図１に示すように、外側からラベル１６に入射した光は、透明な基材フィルム１を透過して、通常の色インキによる文字、絵柄等の印刷層２、または二色性効果を持つ虹彩色顔料３ａ  を含有するインキによる偏光印刷層３に達する。通常の色インキによる文字、絵柄等の印刷層２に達した入射光は、印刷層２で主に反射または吸収されて、通常の印刷デザインと同様にその文字、絵柄等を見ることができる。
一方、二色性効果を持つ虹彩色顔料３ａ  を含有するインキによる偏光印刷層３に入射した光は、虹彩色顔料３ａ  により入射光の一部が反射されると共に一部が透過する。透過した透過光は、その下の熱接着性樹脂層４や、ラベル１６を容器にインモールド成形したときの射出成形樹脂、更には容器に充填された内容物などにより吸収されて透過光の補色が消去される。従って、外側からは真珠光沢と共に虹彩色顔料３ａ  の反射光による特有の色を見ることができるので、印刷デザインに新鮮みと面白さを付加することができ、意匠性を向上させることができる。
【００２９】
次に、図２に示したインモールドラベル容器１００は、テーパー付き丸形のカップ状容器に形成したものであって、下部に脚部１３を有する略円筒状の周壁１１と、周壁１１の脚部１３上端内側に設けられた底部１４と、周壁１１の上部外周に設けられたフランジ部１２とを有し、周壁１１は、その外周に位置し、例えば、図１に示した積層構成で、図３に示した形状のラベル１６と、その内側に射出された射出成形樹脂１５とで形成されると共に、周壁１１の下方の内周面には、内側に凸状となる水平方向のスタック用を兼ねた補強リブ１８が射出成形樹脂１５で設けられている。
【００３０】
また、フランジ部１２の下面と周壁１１との角部には、補強のため、全周に渡って射出成形樹脂１５による円弧状肉付け部１７ａ  が設けられ、同様に、底部１４の上面と周壁１１との角部、および底部１４の下面と脚部１３との角部には、それぞれ全周に渡って射出成形樹脂１５による円弧状肉付け部１７ｂ  、１７ｃ  が設けられて構成されている。
前記円弧状肉付け部１７ａ  、１７ｂ  、１７ｃ  の円弧は、いずれも半径（ｒ）が０．３〜１．５ｍｍの円弧状であることが、補強効果を有し且つ成形後の樹脂の引けによる変形を防止できる点で好ましい。
前記円弧の半径（ｒ）が０．３ｍｍ未満の場合は、十分な補強効果を得ることができず、また、前記円弧の半径（ｒ）が１．５ｍｍを超える場合は、成形後の樹脂の引けによる変形が大きくなり、例えばフランジ部１２の上面では平面性が悪くなり、シール蓋などのヒートシール適性が損なわれるため好ましくない。
【００３１】
尚、本発明のインモールドラベル容器の射出成形に用いる樹脂は、特に限定はされず、前述したように、例えばポリプロピレン系樹脂やポリエチレン系樹脂のほか、ポリスチレン系樹脂、ポリエステル系樹脂など各種の樹脂を使用することができる。
上記ポリプロピレン系樹脂は、剛性、耐熱性があり、食品に対する安全性にも優れ、且つ低温時の耐衝撃性も共重合などにより改質できることから各種の内容物や使用条件に対して汎用することができる。
ポリプロピレン系樹脂としては、プロピレン単独のポリマーのほか、例えばプロピレンとエチレンもしくはエチレンとブテン−１とのランダム共重合体や、エチレンをブロック状に共重合させたプロピレン−エチレンのブロック共重合体、更には、ポリプロピレンに他のポリマーやエラストマーなどをブレンドしたポリプロピレン系ブレンド樹脂などを使用することができる。
このようなポリプロピレン系樹脂には、必要な場合、ソルビトール系などの透明核剤を添加して透明性を向上させることもできる。
【００３２】
前記ポリエチレン系樹脂としては、剛性、耐熱性の点から、主に高密度ポリエチレンを使用するが、用途、使用条件によっては中密度乃至低密度ポリエチレンも使用することができる。特に内容物が牛乳、特別牛乳、殺菌山羊乳、部分脱脂乳、脱脂乳、加工乳、クリームの場合は、乳等省令（厚生労働省令第百六十四号）の規制から、ポリエチレン、エチレン・１−アルケン共重合樹脂の使用が必須となる。
高密度ポリエチレンでは、エチレン単独のポリマーのほか、エチレンとプロピレン、ブテン−１との共重合体も使用することができる。また、中密度乃至低密度ポリエチレンでは、エチレン単独のポリマーのほか、エチレンとブテン−１、４−メチルペンテン−１、ヘキセン−１、オクテン−１などの高級α−オレフィンとの共重合体も使用することができる。
【００３３】
前記のような射出成形樹脂を用いることにより、例えば、使用条件として、一般的なもの、およびホット充填やレトルト処理、或いは、ホットウォーマー加熱などが行われ耐熱性が必要な場合には、ポリプロピレン系樹脂を使用し、特に内容物が前記牛乳、特別牛乳、殺菌山羊乳、部分脱脂乳、脱脂乳、加工乳、クリームの場合には、ポリエチレン、エチレン・１−アルケン共重合樹脂を使用することにより、食品衛生面のほか、剛性、耐熱性、耐内容物性などの性能面でも一層安全に使用することのできるインモールドラベル容器１００を確実に提供することができる。
只、成形性の点で、射出成形樹脂のＭＦＲ（メルトフローレート）（ＪＩＳ  Ｋ７２１０に基づく）は、１０〜５０（ｇ／１０分間）の範囲であることが好ましい。
ＭＦＲが１０未満の場合は、熱流動性が低いため成形適性に劣り、射出成形の際、所謂ショートを発生しやすくなるため好ましくない。また、ＭＦＲが５０を超える場合は、熱流動性が高く、射出成形の際、例えばフランジ部などにバリが発生しやすくなるため好ましくない。
【００３４】
次に、容器の周壁１１の外周面にインモールド成形するラベル１６の形状について図３を参照して説明する。
図３に示すようにラベル１６は、扇形状をなしており、ラベル１６の両側端縁部の下方の角部は切り欠き部１９ａ  、１９ｂ  のように切り欠かれている。この切り欠き部１９ａ  、１９ｂ  の形状は、ラベル１６の角部が丸みを持つ形状でもよく、斜めの直線状となる形状でもよい。
尚、ラベル１６の扇形状の領域内には、例えば、通常の色インキによる文字、絵柄等の印刷部２１がパターン状に設けられ、少なくともその他の部分には、前記二色性効果を持つ虹彩色顔料を含有するインキによる印刷部２２が設けられている。
【００３５】
また、ラベル１６の高さ方向の長さは、図２に示したように、容器周壁１１の上方ではフランジ部１２に僅かに突き出し、下方では脚部１３の中間部程度までの長さであることが好ましく、また、ラベル１６の容器周方向の長さは、図４に示すように、突き合わされる両側端部同士の間に、幅が０．６〜１．５ｍｍ程度の隙間部２０が生じる程度の長さであることが好ましい。
【００３６】
このようにラベル１６を形成することにより、射出成形金型の雌型の所定位置にラベル１６を挿入し真空吸引により固定し、型閉じ後、射出成形樹脂を底部の中心部のゲートから注入した時、ラベル下部の突き合わせ部にめくれやしわを発生することがなく、また、ラベルの周壁の突き合わせ部にしわや重なり部を生じることもなくスムーズに射出成形樹脂を注入でき、ラベル１６を容器に容易に一体化成形して良好な品質および外観のインモールドラベル容器１００を歩留りよく製造することができる。
【００３７】
また、ラベル１６の表面デザインに関しては、通常の色インキによる文字、絵柄等の印刷部２１と組み合わせて、二色性効果を持つ虹彩色顔料を含有するインキによる印刷部２２を設けて形成することができるので、色インキによる美麗なカラー画像に加えてその周囲などに二色性効果を持つ虹彩色顔料を含有するインキによる真珠光沢と、光の干渉により発現された虹彩色とを兼ね備えた印刷部を形成することができ、ラベル１６のデザインに新鮮みと面白さを付加できると共に、このラベル１６をインモールド成形して作製したカップ状容器のデザインに新鮮みと面白さを付加し、その意匠性を一層向上させることができる。
【００３８】
【実施例】
以下に、実施例を挙げて本発明を更に具体的に説明する。
（実施例１）
図２に示した構成の丸形カップ状のインモールドラベル容器を下記の材料と寸法で作製し、実施例１のインモールドラベル容器とした。
（ａ）射出成形樹脂１５：プロピレン−エチレンランダム共重合体、但し、ＭＦＲは２２（ｇ／１０分間）を使用した。
（ｂ）ラベル１６の積層構成：（外側）ＯＰＰフィルム（厚み４０μｍ）・通常の色インキによる文字、絵柄等のパターン状の多色印刷層／二色性効果を持つ虹彩色顔料を含有するインキによるベタの偏光印刷層／接着剤層／ＨＳＯＰＰフィルム（厚み３０μｍ）
尚、上記接着剤層には、二液硬化型ポリウレタン系接着剤を用いてドライラミネーション法で貼り合わせたものである。
また、ラベル１６の形状は、図３の展開図で説明したように、扇形状で両側端縁部の下方の角部に切り欠き部１９ａ  、１９ｂ  を設け、容器周方向の長さは、図４に示したように、突き合わされる両側端部同士の間に、この場合１．０ｍｍ程度の隙間部２０が生じる長さとした。
（ｃ）容器の寸法：フランジ部１２の外径７１ｍｍφ、フランジ部１２の下開口部の外径６３ｍｍφ、底部１４の外径４９ｍｍφ、全高さ１０９．７ｍｍ
フランジ部１２の厚み１．０ｍｍ、周壁１１の厚み０．７ｍｍ、底部１４の厚み１．０ｍｍ、脚部１３の厚み０．９ｍｍ
そして、フランジ部１２の下面と周壁１１との角部の円弧状肉付け部１７ａ  は、半径（ｒ）＝０．３ｍｍの円弧とし、底部１４の上面と周壁１１との角部および底部１４の下面と脚部１３との角部の円弧状肉付け部１７ｂ  、１７ｃ  は、いずれも半径（ｒ）＝０．５ｍｍの円弧とした。
尚、この容器の満注容量は２５０ｍｌである。
【００３９】
（実施例２）
前記実施例１のインモールドラベル容器の構成において、ラベル１６の積層構成にガスバリヤー層として、透明なＯＰＥＴフィルム（厚み１２μｍ）にアルミナ蒸着層（厚み３００Å）を設けた蒸着フィルムを、二色性効果を持つ虹彩色顔料を含有するインキによるベタの偏光印刷層とＨＳＯＰＰフィルムとの間に、それぞれ接着剤層を介して追加積層したほかは、総て実施例１と同様に形成して実施例２のインモールドラベル容器を作製した。
ラベル１６の積層構成：（外側）ＯＰＰフィルム（厚み４０μｍ）・通常の色インキによる文字、絵柄等のパターン状の多色印刷層／二色性効果を持つ虹彩色顔料を含有するインキによるベタの偏光印刷層／接着剤層／アルミナ蒸着層（厚み３００Å）・ＯＰＥＴフィルム（厚み１２μｍ）／接着剤層／ＨＳＯＰＰフィルム（厚み３０μｍ）
この場合も各接着剤層には、二液硬化型ポリウレタン系接着剤を用いてドライラミネーション法で貼り合わせたものである。
【００４０】
（比較例１）
前記実施例１のインモールドラベル容器の構成において、ラベル１６の積層構成から、二色性効果を持つ虹彩色顔料を含有するインキによるベタの偏光印刷層を取り除いたほかは、総て実施例１と同様に形成して比較例１のインモールドラベル容器を作製した。
ラベル１６の積層構成：（外側）ＯＰＰフィルム（厚み４０μｍ）・通常の色インキによる文字、絵柄等のパターン状の多色印刷層／接着剤層／ＨＳＯＰＰフィルム（厚み３０μｍ）
【００４１】
〔評価〕
以上のように作製した実施例１、２、および比較例１のインモールドラベル容器について、（１）ラベルのインモールド射出成形時の成形適性、（２）成形したカップ状容器の意匠性、（３）成形したカップ状容器のガスバリヤー性を比較評価した結果、（１）ラベルのインモールド射出成形時の成形適性は、実施例１、２、および比較例１の各インモールドラベル容器とも、ラベルが、その外側と内側に、ＯＰＰフィルムまたはＨＳＯＰＰフィルムが積層され、中間層を中心として両側が熱収縮性など熱的特性において近似したフィルムで形成され、対称形に近い層構成であるため、カールが殆どなく、また、ラベルの打ち抜き形状に関しても、図３に示した展開図で説明したように、両側端縁部の下方の角部に切り欠き部１９ａ  、１９ｂ  を設け、また、容器周方向の長さを、成形の際、突き合わされる両側端部同士の間に幅１．０ｍｍ程度の隙間部を生じるように形成しているので、ラベルにめくれやしわ、或いは重なり部を生じることがなく、スムーズに成形でき、成形適性は良好であった。
【００４２】
また、（２）成形したカップ状容器の意匠性に関しては、実施例１、２インモールドラベル容器は、その周壁の外周面に一体化成形したラベル１６の最外層のＯＰＰフィルム（厚み４０μｍ）の裏面に、通常の色インキによる文字、絵柄等のパターン状の多色印刷層と組み合わせて、二色性効果を持つ虹彩色顔料を含有するインキによるベタの偏光印刷層が設けられているので、通常の色インキによる文字、絵柄等の美麗なカラー画像に加えて、その周囲などに二色性効果を持つ虹彩色顔料を含有するインキによる真珠光沢と光の干渉により発現された虹彩色とを兼ね備えた印刷部が形成され、ラベル１６のデザインに新鮮みと優雅な高級感が付加され、インモールドラベル容器の意匠性が一段と優れたものとなっていた。
これに対して比較例１のインモールドラベル容器は、ラベルのデザインが通常の色インキによる文字、絵柄等のパターン状の多色印刷層のみで形成され、前記虹彩色顔料を含有するインキによるベタの偏光印刷層が設けられていないので、実施例１、２のインモールドラベル容器と比較して、カラー画像による美麗さはあっても新鮮みや高級感がなく、インモールドラベル容器の意匠性としては、相対的に劣っていた。
【００４３】
そして、（３）成形したカップ状容器のガスバリヤー性に関しては、実施例１、２、および比較例１の各インモールドラベル容器について、ＭＯＣＯＮ社製の酸素透過度測定装置  ＯＸＴＲＡＮを用いて、容器１個当たりの酸素透過度（ｍｌ／個・ｄａｙ・０．１ＭＰａ）を温度２３℃、外側の相対湿度４５％、内側の相対湿度９０％で３日間のパージを行って測定したところ、ラベルにガスバリヤー層を設けていない実施例１と比較例１の容器が、それぞれ１．５ｍｌ／個・ｄａｙ・０．１ＭＰａであったのに対して、ラベルにガスバリヤー層としてアルミナ蒸着層（厚み３００Å）を設けた実施例２の容器は０．１５ｍｌ／個・ｄａｙ・０．１ＭＰａであり、容器の周壁面だけでもガスバリヤー層を設けることにより、大幅にガスバリヤー性を向上できることが確認された。
【００４４】
【発明の効果】
以上、詳しく説明したように、本発明によれば、インモールドラベリング方式の射出成形で作製されるカップ状容器であって、一般的に必要とされる成形適性や、容器の強度、耐熱性のほか、ガスバリヤー性などの性能に優れると共に、特に、そのラベルのデザインに、通常の色インキによるカラー印刷の美麗さに加えて、二色性効果を持つ虹彩色顔料を含有するインキの印刷による真珠光沢と虹彩色の発現を付加することができ、デザインに新鮮みや面白さ、或いは、優雅な高級感が付与され、意匠性、高級感に一層優れたインモールドラベル容器を生産性よく提供できる効果を奏する。
【図面の簡単な説明】
【図１】本発明のインモールドラベル容器に用いるラベルの一例の構成を示す模式断面図であり、また、ラベルの偏光印刷層に入射する入射光の反射および透過（吸収）状態を説明する図である。
【図２】本発明のインモールドラベル容器の一実施例の構成を示す縦断面図である。
【図３】本発明のインモールドラベル容器の周壁外周面にインモールド成形するラベルの形状の一例を説明する展開図である。
【図４】図２に示したインモールドラベル容器の背面図であって、容器の周壁外周面に一体的に成形されたラベルの両側端部間に形成された隙間部を説明する図である。
【符号の説明】
１  透明な基材フィルム
２  色インキによる文字、絵柄等の印刷層
３  偏光印刷層
３ａ    虹彩色顔料
４  熱接着性樹脂層
１１  周壁
１２  フランジ部
１３  脚部
１４  底部
１５  射出成形樹脂
１６  ラベル
１７ａ  、１７ｂ  、１７ｃ  円弧状肉付け部
１８  補強リブ
１９ａ  、１９ｂ  切り欠き部
２０  隙間部
２１  色インキによる文字、絵柄等の印刷部
２２  二色性効果を持つ虹彩色顔料を含有するインキによる印刷部
１００  インモールドラベル容器
【図１】
2005007653.tif 000003
【図２】
2005007653.tif 000004
【図３】
2005007653.tif 000005
【図４】
2005007653.tif 000006